(57)【特許請求の範囲】
【請求項１】
松葉杖及び／又は杖用のスタビライザ支持装置であって、
松葉杖又は杖（Ｓ）の一部を受け入れるようになっている座部が内部にある、鉛直軸を有する筒状本体（１）と、
収納位置では鉛直かつ前記筒状本体（１）の内側にあり、引き出し位置では離間して広がると共に前記筒状本体（１）の外側に出ることで該スタビライザ支持装置の安定性のあるベースを形成するように、より大きく引き出し可能な脚部（５）と、
及び、
リング状スライド（４）を前記筒状本体（１）の内側で鉛直方向に移動させるノブ（６）であって、前記脚部（５）が前記リング状スライド（４）に接続される、ノブ（６）と、を備え、
松葉杖又は杖の一部を収容する前記座部は管状部材（３）によって形成され、該管状部材（３）は前記筒状本体（１）の内側にあると共に該筒状本体（１）と同軸であり、前記筒状本体（１）の下端に設けられた下部基体となる円盤状の下部基体（３０）を有し、
該円盤状の下部基体（３０）は鉛直軸に対して互いの穴が角度的に等間隔の３つの穴を有し、前記脚部（５）が前記穴から引き出し可能とされてなることを特徴とする、スタビライザ支持装置。
【請求項２】
前記筒状本体（１）の上部基体（１０）には下部基体穴（１１）があり、該下部基体穴（１１）を前記管状部材（３）の突出部（３２）が通り、該突出部（３２）は前記筒状本体（１）の前記上部基体（１０）を越えて突出することを特徴とする、請求項１に記載のスタビライザ支持装置。
【請求項３】
前記管状部材（３）の突出部（３２）はねじを切られており、前記スタビライザ支持装置の使用時にねじ付きリング（２）が前記突出部（３２）にねじ締めされて前記松葉杖又は杖を前記管状部材（３）に固定することを特徴とする、請求項２に記載のスタビライザ支持装置。
【請求項４】
前記筒状本体（１）には長手方向スリット（１２）があり、該長手方向スリット（１２）を、前記ノブ（６）を前記リング状スライド（４）に接続するステム（６０）が通ることを特徴とする、請求項１に記載のスタビライザ支持装置。
【請求項５】
前記リング状スライド（４）は前記管状部材（３）に沿って自由に摺動するリングを構成することを特徴とする、請求項１に記載のスタビライザ支持装置。
【請求項６】
前記脚部（５）はロッドによって形成され、数は３本であり、前記リング状スライド（４）に互いの脚部（５）が角度的に等間隔の位置に掛かり、前記脚部（５）が前記穴から引き出し可能とされてなることを特徴とする、請求項１〜５のいずれか１つに記載のスタビライザ支持装置。
【発明の詳細な説明】
【技術分野】
【０００１】
本発明は、松葉杖及び／又は杖用のスタビライザ支持装置に関する。
【背景技術】
【０００２】
歩行困難者のための松葉杖及び杖のような補助器具は、特に不使用時にその固有の不安定性に関連する不便さを伴うことが知られている。実際に、補助器具が倒れるのを防ぐために、これらの器具は多くの場合、壁、椅子、机等の近くに斜めに立てかけて、すなわち、松葉杖又は杖の近くを通る可能性のある者がつまずいて転びかねないようなやり方で置かれる。
【発明の概要】
【発明が解決しようとする課題】
【０００３】
本発明の主要な目的は上記の欠点をなくすことである。
【課題を解決するための手段】
【０００４】
この成果は、本発明によれば、請求項１に示す特徴を有する装置を作製するという着想を採用することによって達成される。本発明の他の特徴は従属請求項の主題である。
【０００５】
本発明によるスタビライザ支持装置は、松葉杖及び杖のような補助器具の構造的な特徴を妨げることなく、また、該補助器具の強度を低減することなく、それらの使用を改善及び単純化する。さらに、本発明による装置は製造が簡単であり、廉価であり、長期使用及び繰返し使用の後でも信頼性が高く、また、特別なメンテナンス作業を必要とせず、そのメンテナンス作業にしても装置の分解しやすさにより行いやすい。
【０００６】
本発明のこれらの及び他の利点及び特徴は、限定的であると見なされるのではなく、例として挙げた以下の説明及び添付図面により、この産業分野のいかなる技術者（当業者）によってもよりよく理解されるであろう。
【０００７】
すなわち、本発明の請求項１に係る装置は、松葉杖及び／又は杖用のスタビライザ支持装置であって、松葉杖又は杖（Ｓ）の一部を受け入れるようになっている座部が内部にある、鉛直軸を有する筒状本体（１）と、収納位置では鉛直かつ前記筒状本体（１）の内側にあり、引き出し位置では離間して広がると共に前記筒状本体（１）の外側に出ることで該スタビライザ支持装置の安定性のあるベースを形成するように、より大きく引き出し可能な脚部（５）と、及び、リング状スライド（４）を前記筒状本体（１）の内側で鉛直方向に移動させるノブ（６）であって、前記脚部（５）が前記リング状スライド（４）に接続される、ノブ（６）と、を備え、松葉杖又は杖の一部を収容する前記座部は管状部材（３）によって形成され、該管状部材（３）は前記筒状本体（１）の内側にあると共に該筒状本体（１）と同軸であり、前記筒状本体（１）の下端に設けられた下部基体となる円盤状の下部基体（３０）を有し、該円盤状の下部基体（３０）は鉛直軸に対して互いの穴が角度的に等間隔の３つの穴を有し、前記脚部（５）が前記穴から引き出し可能とされてなることを特徴とする。
【０００８】
本発明に係る装置は、松葉杖又は杖の一部を収容する前記座部は管状部材（３）によって形成され、該管状部材（３）は前記筒状本体（１）の内側にあると共に該筒状本体（１）と同軸であり、円盤状の下部基体（３０）を有し、該円盤状の下部基体（３０）は鉛直軸に対して互いの穴が角度的に等間隔の３つの穴を有し、前記筒状本体（１）の下部基体を形成することを特徴とする。
【０００９】
本発明の請求項２に係る装置は、前記筒状本体（１）の上部基体（１０）には下部基体穴（１１）があり、該下部基体穴（１１）を前記管状部材（３）の突出部（３２）が通り、該突出部（３２）は前記筒状本体（１）の前記上上部基体（１０）を越えて突出することを特徴とする。
【００１０】
本発明の請求項３に係る装置は、前記管状部材（３）の突出部（３２）はねじを切られており、前記スタビライザ支持装置の使用時にねじ付きリング（２）が前記突出部（３２）にねじ締めされて前記松葉杖又は杖を前記管状部材（３）に固定することを特徴とする。
【００１１】
本発明の請求項４に係る装置は、前記筒状本体（１）には長手方向スリット（１２）があり、該長手方向スリット（１２）を、前記ノブ（６）を前記リング状スライド（４）に接続するステム（６０）が通ることを特徴とする。
【００１２】
本発明の請求項５に係る装置は、前記リング状スライド（４）は前記管状部材（３）に沿って自由に摺動するリングを構成することを特徴とする。
【００１３】
本発明の請求項６に係る装置は、前記脚部（５）はロッドによって形成され、数は３本であり、前記リング状スライド（４）に互いの脚部（５）が角度的に等間隔の位置に掛かり、前記脚部（５）が前記穴から引き出し可能とされてなることを特徴とする。
【図面の簡単な説明】
【００１４】
【図１】本発明による、松葉杖及び／又は杖用のスタビライザ支持装置の、個々の部材のうちの１つを示す図である。
【図２】本発明による、松葉杖及び／又は杖用のスタビライザ支持装置の、個々の部材のうちの１つを示す図である。
【図３】本発明による、松葉杖及び／又は杖用のスタビライザ支持装置の、個々の部材のうちの１つを示す図である。
【図４】本発明による、松葉杖及び／又は杖用のスタビライザ支持装置の、個々の部材のうちの１つを示す図である。
【図５】本発明による、松葉杖及び／又は杖用のスタビライザ支持装置の、個々の部材のうちの１つを示す図である。
【図６】本発明による、松葉杖及び／又は杖用のスタビライザ支持装置の、個々の部材のうちの１つを示す図である。
【図７】本発明による、松葉杖及び／又は杖用のスタビライザ支持装置の、その非作動状態すなわち脚部５が収納している状態の底面斜視図である。
【図８】脚部５が引き出している状態の、図７の装置を示す図である。
【図９】図７及び図８の装置の、該装置の他の部品をよりよく示すように脚部５が一本だけ引き出している状態での、その使用における図である。
【図１０】図７及び図８の装置の、該装置の他の部分をよりよく示すように脚部５が一本だけ引き出している状態での、その使用における図である。
【図１１】図９及び図１０に示す装置の一径方向断面図である。
【図１２】図９及び図１０に示す装置の一径方向断面図である。
【図１３】図１２に示す装置の、拡大した特定部分を表す図である。
【図１４】図９及び図１０に示す装置の横断面図である。
【発明を実施するための形態】
【００１５】
以下の説明では、「松葉杖」という語は前腕支持型杖を指す。
【００１６】
本発明による、松葉杖及び杖用のスタビライザ支持装置は、その基本構造にしぼって添付図面の図を参照すると、鉛直軸を有する筒状本体１であって、下部は開口しており、上部基体１０に下部基体穴１１があり、側面に長手方向スリット１２がある、筒状本体１から成る。
【００１７】
筒状本体１の上部基体の上には、下記にさらに説明するように松葉杖又は杖Ｓをスタビライザ支持装置に固定するのに用いられる環状のねじ付きリング２が取り付けられる。
【００１８】
上記筒状本体１の内側には、円盤状の下部基体３０を有する管状部材３が同一軸方向に位置決めされ、この円盤状の下部基体３０は鉛直軸に対して互いの穴が角度的に等間隔の３つの穴３１を有する。管状部材３の上部に設けられた突出部３２が、上記下部基体穴１１を通って筒状本体１の上部基体１０に通されて該上部基体１０を越えて突出する。ねじ付きリング２が管状部材３のねじの付けられた突出部３２にねじ締めされる。
【００１９】
管状部材３上にはリング状スライド４が嵌められ、このリング状スライド４は該管状部材３に沿って自由に摺動し、以下に示す脚部５用の３つの係止点４１が画定されている下面４０と、該下面４０の下に張り出している側面４２とを有し、そのため側面４２の下縁が下面４０の下にある。
【００２０】
上記リング状スライド４は３つの脚部５を互いに角度的に等間隔の位置に支持する。
【００２１】
さらに具体的には、上記脚部５（添付図面の図に示す例によればロッドによって形成される）のそれぞれは、水平軸（図１４の軸「ｘ」）と共にヒンジを構成するピンによってリング状スライド４の下面４０にヒンジ接続され、それにより、開く方向（図１４の図面紙から出る方向）及び閉じる方向（図１４の図面紙に入る方向）の双方向に自由に回転することができる。
【００２２】
ノブ６がリング状スライド４に接続される。該ノブのステム６０がリング状スライド４の側面４２にねじ締めされ、ノブ６が筒状本体１の外側に出るように筒状本体１の長手方向スリット１２に通される。
【００２３】
ノブ６を用いて、管状部材３に沿ったリング状スライド４の摺動、したがって、脚部５の引き出し又は収納を手動で制御する。より詳細には、図７の構成（ノブ６及びリング状スライド４が上昇位置にある）から開始して、ノブ６を下降させることによって、脚部５の除去又は引き出しが達成され、その際、脚部５は、その脚部引き出し動作時に、管状部材３の底面の穴３１を通り、リング状スライド４との上記ヒンジ接続により、また、その側面４２の下縁がフレア状になっていることでこれが脚部５のガイドを形成することにより、段階的に広がる。逆に、図８の構成（ノブ６及びリング状スライド４が下降位置にある）から開始して、ノブ６を上げることによって、脚部５の収納又は復帰が達成され、その際、脚部５は、穴３１内を通り、段階的に「閉じられ」、管状部材３に近づき、上昇動作の終了時に（実際には、脚部５の引き出し又は収納時、すなわち、傘の骨のような脚部５の開閉時に）に鉛直位置にあるものとする。脚部５の収納時、リング状スライド４の側面４２の下縁のフレア状が脚部５の非常に正確な収納に関与する。
【００２４】
リング状スライド４の内表面４３上には、径方向の弾性プラグ４４が取り付けられ、この弾性プラグ４４はリング状スライド４を管状部材３に完全な上昇位置（図７の位置）及び完全な下降位置（図８の位置）で固定するように働く。この目的のために、管状部材３は２つの径方向のキャビティ３３、３４（一方の径方向のキャビティがその上部基体近くにあると共に他方がその下部基体に隣接している）を有し、これらのキャビティでは弾性プラグ４４の前端は、リング状スライド４が上昇位置（図７の位置）又は下降位置（図８の位置）にあるときに係合する。上記の径方向の弾性プラグ４４はばね（図示せず）によって径方向に押され、そのため、リング状スライド４がキャビティ３３又はキャビティ３４に対応して位置決めされたときに、弾性プラグ４４が内部に挿入され、したがって、リング状スライド４を管状部材３に固定する。弾性プラグ４４のばねによって加えられるスラストは、ノブ６が上昇又は下降したときに管状部材３のリング状スライド４の摺動の妨げとならない。リング状スライド４が図７の位置の上昇位置から図８の下降位置に移る際、弾性プラグ４４の前端が単に管状部材３の外表面を摺動する。
【００２５】
したがって、
リング状スライド４及び脚部５は管状部材３の外側に出ており、
リング状スライド４は管状部材３に沿って鉛直方向に、すなわち筒状本体１の（鉛直）軸の方向に沿って摺動するように設計されており、
リング状スライド４、脚部５によって、また管状部材３から形成される群が、管状部材３のうち筒状本体１の下部基体穴１１を越えて延びるねじ付き突出部３２を除き、筒状本体１の内側にあり、
弾性プラグ４４がリング状スライド４と管状部材３との間に位置決めされ、
ノブ６が筒状本体１の外側に出て、また、リング状スライド４に接続され、
管状部材３の円盤状の下部基体３０の穴３１が脚部５をその復帰又は収納及び引き出し又は除去時にガイドするのに関与する。
【００２６】
本発明によるスタビライザ支持装置を使用するには、ねじ付きリング２を緩め、松葉杖又は杖ＳのキャップＴを外し、松葉杖の下部が下部基体３０から突出するまで松葉杖を上から下へ筒状本体１の下部基体穴１１及び管状部材３に挿入する。その後、上記キャップＴを松葉杖に戻し、リング２を管状部材３のねじ付き突出部３２にねじ締めして松葉杖又は杖Ｓを管状部材３に固定する。その後、ノブ６により、弾性プラグ４４が管状部材３の下方の径方向のキャビティ３４と係合するまでリング状スライド４を下降させることによって、脚部５を引き出される。この時点で、松葉杖又は杖Ｓは支持装置に固定され、この支持装置の安定性は３つの脚部５によって確保され、この３つの脚部５は、離間して広がるため、安定性のある底面を達成する。松葉杖又は杖Ｓを自由にするには逆順に行う。
【００２７】
脚部５を形成するロッドの長さは、松葉杖のキャップＴを上げておく、すなわち地面に接触させないようなものであることは言うまでもない。
【００２８】
さらに、言うまでもなく、管状部材３の内径は標準サイズの松葉杖又は杖Ｓのステムに取り付けることが可能な値である。
【００２９】
例えば、本発明によるスタビライザ支持装置の部材は（「デルリン」のような材料等の）プラスチック材料、（アルミニウム又は鋼のような）金属、又は炭素繊維から成ることができる。
【００３０】
実際に、実施態様の詳細は、記載し示した個々の部材の形状及びサイズ、並びに材料の性質に関して、上記の利点を得るように採用される解決策の着想から逸脱しない限り、したがって、本特許によって得られる保護の限定内にある限り、任意の等価な方法で様々であってもよい。
【符号の説明】
【００３１】
１：筒状本体、２：リング、３：管状部材、４：リング状スライド、５：脚部、６：ノブ、１０：上部基体、１１：下部基体穴、１２：長手方向スリット、３０：下部基体、３１：穴、３２：突出部、３３、３４：キャビティ、４０：下面、４１：係止点、４２：側面、４３：内表面、４４：弾性プラグ、６０：ステム、Ｓ：松葉杖又は杖、Ｔ：キャップ。
【図１】
0005470380.tif 000002
【図２】
0005470380.tif 000003
【図３】
0005470380.tif 000004
【図４Ａ】
0005470380.tif 000005
【図４Ｂ】
0005470380.tif 000006
【図５】
0005470380.tif 000007
【図６】
0005470380.tif 000008
【図７】
0005470380.tif 000009
【図８】
0005470380.tif 000010
【図９】
0005470380.tif 000011
【図１０】
0005470380.tif 000012
【図１１】
0005470380.tif 000013
【図１２】
0005470380.tif 000014
【図１３】
0005470380.tif 000015
【図１４】
0005470380.tif 000016